(57)【特許請求の範囲】
【請求項１】
自動販売機や販売店に補充商品を運んで使用済の容器や包装体などを回収して持ち帰るベンディングカーにおいて、
補充商品を収容する荷箱の上に、回収品を収容する回収品室を設け、回収品を回収品室の前後左右の側面と上側面で覆って落下を防止した状態で持ち帰る構成にしたことを特徴とする荷箱構造。
【請求項２】
補充商品は飲料や食品にし、
回収品室は、内部のゴミ袋や回収品が外側から見えない非透視性の構成にしたことを特徴とする請求項１に記載の荷箱構造。
【請求項３】
回収品室は、左側面と上側面の隅角部又は右側面と上側面の隅角部を開閉するウイング開閉装置を設けたことを特徴とする請求項１又は２に記載の荷箱構造。
【請求項４】
回収品室のウイング開閉装置は、地上で操作する操作部を設けたことを特徴とする請求項３に記載の荷箱構造。
【発明の詳細な説明】
【技術分野】
【０００１】
本発明は、自動販売機や販売店に容器入りの飲料や食品などの商品を運ぶベンディングカーの荷箱構造に関する。
【背景技術】
【０００２】
飲料用のベンディングカーは、自動販売機や販売店に容器入り飲料を運んで補充し、使用済の空の容器を回収して持ち帰る。このようなベンディングカーは、補充商品の容器入り飲料を収納する荷箱を設けている。荷箱は、屋上に、人が立つ足場部と、回収品の使用済容器を載せる荷積み部を設けている。荷箱の側面には、屋上の足場部に上がる梯子を取り付けている。屋上の荷積み部は、周囲に柵ないし囲いを設けている。
【０００３】
使用済容器を回収する際、ゴミ袋に多数の使用済容器を入れ、ゴミ袋の口を閉じる。使用済容器を詰めたゴミ袋は、ベンディングカーの荷積み部に投げ上げて載せる。そして、荷積み部上のゴミ袋には、網やシートのカバーを被せ、カバーを荷積み部に留める。カバーは、ベンディングカーの走行中、荷積み部上のゴミ袋が落下するのを防止する。
【先行技術文献】
【特許文献】
【０００４】
【特許文献１】特開２００１−２５３３０１号公報
【発明の概要】
【発明が解決しようとする課題】
【０００５】
［課  題］
上記のようなベンディングカーで使用済容器を回収する際、作業者は、荷箱の屋上の足場部に立ち、屋上の荷積み部の使用済容器入りゴミ袋、回収品にカバーを被せ、カバーの端を荷積み部に留める。湾曲自在なカバーを取り扱う作業は、多くの手間が掛かる。荷箱の屋上の高所作業は、危険を伴う。
また、飲料や食品用のベンディングカーは、飲料や食品の清潔な商品を運ぶことが主な任務である。使用済の容器や包装体を入れたゴミ袋、回収品が人目に触れると、清潔感が損なわれる。
【０００６】
［着  想］
自動販売機や販売店に補充商品を運んで使用済の容器や包装体などを回収して持ち帰るベンディングカーにおいて、補充商品を収容する荷箱の屋上には、回収品を載せる野天の荷積み部に替えて、回収品を収容する回収品室を設けることにした。回収品室内の回収品は、外回りが覆われる。屋上の回収品をカバーで覆う高所作業は、不要になる。
回収品室は、不透明な材料や透視孔のない構造を使用し、内部が外側から見えない非透視性の構成にする。回収品室内の回収品は、人目に触れない。
【０００７】
回収品室は、左側面と上側面の隅角部又は右側面と上側面の隅角部を開閉するウイング開閉装置を設ける。回収品の出し入れが容易になる。
ウイング開閉装置は、地上で操作する操作部を設ける。ウイングの開閉に高所作業を要しない。
【課題を解決するための手段】
【０００８】
１）自動販売機や販売店に補充商品を運んで使用済の容器や包装体などを回収して持ち帰るベンディングカーにおいて、
補充商品を収容する荷箱の上に、回収品を収容する回収品室を設け、回収品を回収品室の前後左右の側面と上側面で覆って落下を防止した状態で持ち帰る構成にしたことを特徴とする荷箱構造。
２）上記の荷箱構造において、
補充商品は飲料や食品にし、
回収品室は、内部のゴミ袋や回収品が外側から見えない非透視性の構成にしたことを特徴とする。
３）上記の荷箱構造において、
回収品室は、左側面と上側面の隅角部又は右側面と上側面の隅角部を開閉するウイング開閉装置を設けたことを特徴とする。
４）上記３）の荷箱構造において、
回収品室のウイング開閉装置は、地上で操作する操作部を設けたことを特徴とする。
【発明の効果】
【０００９】
荷箱屋上の回収品をカバーで覆う落下防止の危険な高所作業は、不要になる。
補充商品が飲料や食品である場合、回収品室内のゴミ袋や回収品は、人目に触れない。清潔感が損なわれない。
【図面の簡単な説明】
【００１０】
【図１】本発明の実施形態における荷箱構造を備えたベンディングカーの側面図。
【図２】同荷箱構造を備えたベンディングカーの平面図。
【図３】図１のＡ−Ａ線断面図。
【図４】図１のＢ−Ｂ線断面図。
【図５】同ベンディングカーの背面図。
【図６】同ベンディングカーの背面図で、回収品室のウイング開閉装置の左側ウイングを開放した状態を示す図。
【図７】同ベンディングカーの正面図で、回収品室のウイング開閉装置の右側操作部を省略した図。
【図８】同ベンディングカーの正面図で、回収品室のウイング開閉装置の左側ウイングを開放した状態を示す図。
【発明を実施するための形態】
【００１１】
実施形態の荷箱構造を備えたベンディングカーは、図１と図２に示すように、運転室の後側の車台の上に、補充商品の容器入り飲料を収容する荷箱１を設けている。荷箱１は、前後方向に長い直方体形状にしている。荷箱１の左右の側面は、それぞれ、引き戸２付きの出し入れ口にしている。また、荷箱１は、屋上の後端部に、人が立つ足場部３を設けている。荷箱１の後側面には、地上から足場部３に上がる梯子４を取り付けている。
【００１２】
荷箱１は、屋上の足場部３の前側に、回収品の使用済容器を収容する回収品室５を設けている。回収品室５は、前後方向に長い略直方体形状にしている。荷箱１の屋上には、図３と図４に示すように、前側壁１１、後側壁１２、左側壁１３と右側壁１４を設けている。それらの側壁１１〜１４は、前後方向に長い長方形枠形状に連結し、回収品室５の下部を構成している。側壁１１〜１４の上には、回収品室５の上部を構成するウイング開閉装置を設けている。
【００１３】
前側壁１１の直後には、図４に示すように、支柱を３本にした支柱部材１５を固定している。支柱部材１５は、前側壁１１より高くしている。支柱部材１５の上には、横棒状の支持部材１６を固定している。後側壁１２の直前には、図３と図５に示すように、逆Ｔ字形の支柱１７を固定している。支柱１７は、後側壁１２より高くしている。支柱１７の横棒状上部と支持部材１６は、左右方向中央位置に配置している。
【００１４】
支持部材１６と支柱１７には、ウイング開閉装置を取り付け、図３〜図６に示すように、左側に左側ウイング２１を、右側に右側ウイング３１を設けている。
【００１５】
左側ウイング２１は、支持部材１６と支柱１７の上面の左端部に回転中心軸２２を前後方向に掛け渡して回転可能に取り付けている。回転中心軸２２は、左側に天板部２３を連結し、天板部２３の左端下側に左側板部２４を連結している。天板部２３と左側板部２４は、前端に前側板部２５を連結し、後端に後側板部２６を連結している。
【００１６】
天板部２３と後側板部２６は、金属管の骨組みに防水シートを貼り付けて構成している。防水シートは、布に合成樹脂を被覆している。左側板部２４と前側板部２５は、金属管の骨組みに金属板を貼り付けて構成している。
【００１７】
左側ウイング２１の閉鎖時、図３〜図５に示すように、左側板部２４は、下端部が左側壁１３の外側面の上部に重なっている。前側板部２５は、下端部が前側壁１１の外側面の上部に重なっている。後側板部２６は、下端部が後側壁１２の外側面の上部に重なっている。回収品室５の左側面と上側面の隅角部を閉鎖している。左側ウイング２１は、図６に示すように、回転中心軸２２の周りに回転して上昇し、回収品室５の左上側の隅角部を開放する。
【００１８】
右側ウイング３１は、左側ウイング２１と同様に、回転中心軸３２、天板部３３、右側板部３４、前側板部３５と後側板部３６を備え、左側ウイング２１と左右対称の構造にしている。右側ウイング３１も、左側ウイング２１と同様に、回転中心軸３２の周りに回転し、回収品室５の右側面と上側面の隅角部を閉鎖したり、開放したりする。
【００１９】
左側の回転中心軸２２と右側の回転中心軸３２の上側には、左側ウイング２１と右側ウイング３１の間を閉鎖する屋根３９を設けている。屋根３９は、防水シートで構成し、左端を左側ウイング２１の天板部２３の防水シートに、右端を右側ウイング３１の天板部３３の防水シートに連結している。
【００２０】
回収品室５は、屋根３９、天板部２３と天板部３３で非透視性の上側面を構成している。前側壁１１、前側板部２５、前側板部３５、支柱部材１５と支持部材１６で非透視性の前側面を構成している。後側壁１２、後側板部２６、後側板部３６と支柱１７で非透視性の後側面を構成している。左側壁１３と左側板部２４で非透視性の左側面を構成している。右側壁１４と右側板部３４で非透視性の右側面を構成している。
【００２１】
左側ウイング２１は、その前端部と、荷箱１と運転室の間の隙間に、地上で操作する操作部４１を設けている。操作部４１は、図７に示すように、天板部２３の前端部下側にレバー４２を右方に突出して固定している。レバー４２は、右端に滑車４３を取り付けている。荷箱１の前側面は、左側部に操作ロープ４４の一端を固定し、その下側位置に環４５を取り付け、その下側位置に螺旋ばねの弾性条４６の下端を固定している。操作ロープ４４は、固定端から滑車４３に向い、滑車４３に巻き掛けて折り返し、環４５を貫通して弾性条４６に向い、弾性条４６の上端の環を貫通して上方に折り返し、他端を左側板部２４の下端に固定している。
【００２２】
操作ロープ４４は、開放操作時に、環４５と弾性条４６の間の部分を地上の作業者が握って引き下げる。すると、図８に示すように、左側ウイング２１は、回転中心軸２２の周りに１２０度位回転して上昇し、回収品室５の左上側の隅角部が開放する。作業者が操作ロープ４４から手を離しても、左側ウイング２１の開放状態が維持される。閉鎖操作時には、操作ロープ４４は、左側ウイング２１と弾性条４６の間の部分を地上の作業者が握って引き下げる。すると、左側ウイング２１は、逆方向に回転して下降し、図７に示すように、回収品室５の左上側の隅角部が閉鎖する。
【００２３】
右側ウイング３１も、地上で操作する操作部５１を設けている。操作部５１は、左側ウイング２１の操作部４１と同様に、レバー５２、滑車５３、操作ロープ５４、環５５と弾性条５６を備え、左側ウイング２１の操作部４１と左右対称の構造にしている。右側の操作部５１も、左側の操作部４１と同様に、開放操作時と閉鎖操作時に、それぞれ、操作ロープ５４の特定部分を地上の作業者が握って引き下げる。すると、回収品室５の右上側の隅角部が閉鎖又は開放する。
【００２４】
この荷箱構造を備えたベンディングカーで使用済容器を回収する際、作業者は、地上で、左側の操作部４１又は右側の操作部５１を開放操作し、回収品室５の左上側又は右上側の隅角部を開放する。地上の作業者は、回収品の使用済容器を詰めたゴミ袋を、回収品室５にその左上側又は右上側の開放隅角部から投げ込む。回収品を回収品室５に入れた後、左側の操作部４１又は右側の操作部５１を閉鎖操作し、回収品室５の左上側又は右上側の隅角部を閉鎖する。回収品を回収品室５に収容した後、ベンディングカーを運転し、回収品を持ち帰る。
【００２５】
ベンディングカーの走行中、回収品は、回収品室５の前後左右の側面と上側面で覆われている。回収品室５内の回収品は、回収品室５から飛び出して地上に落下することはない。また、回収品は、回収品室５の非透視性の前後左右の側面と上側面で覆われている。回収品室５内の回収品は、人目に触れない。
【００２６】
［変形例］
１）上記の実施形態において、補充商品はボトル、缶や箱の容器入りの飲料にし、回収品は使用済のその容器にしているが、補充商品は袋、箱や缶の容器入りのスナック食品にし、回収品は使用済のその容器にする。
２）上記の実施形態において、ウイング開閉装置は、回収品室５の左上側の隅角部を開閉する左側ウイング２１と、回収品室５の右上側の隅角部を開閉する右側ウイング３１を設けているが、左側ウイング２１のみを設ける。又は、右側ウイング３１のみを設ける。
【符号の説明】
【００２７】
１  荷箱
２  引き戸
３  足場部
４  梯子
５  回収品室
１１  前側壁
１２  後側壁
１３  左側壁
１４  右側壁
１５  支柱部材
１６  支持部材
１７  支柱
２１  左側ウイング
２２  回転中心軸
２３  天板部
２４  左側板部
２５  前側板部
２６  後側板部
３１  右側ウイング
３２  回転中心軸
３３  天板部
３４  右側板部
３５  前側板部
３６  後側板部
３９  屋根
４１  左側の操作部
４２  レバー
４３  滑車
４４  操作ロープ
４５  環
４６  弾性条
５１  右側の操作部
５２  レバー
５３  滑車
５４  操作ロープ
５５  環
５６  弾性条
【図１】
0005544159.tif 000002
【図２】
0005544159.tif 000003
【図３】
0005544159.tif 000004
【図４】
0005544159.tif 000005
【図５】
0005544159.tif 000006
【図６】
0005544159.tif 000007
【図７】
0005544159.tif 000008
【図８】
0005544159.tif 000009